(57)【要約】【課題】転動ゲームと変動表示ゲームとを同じ部位で行い、遊技者のゲームに対する注意が散漫になるのを防止して、遊技の興趣を高めることができる遊技機を提供する。【解決手段】遊技球が入賞可能な導入部２３と、入賞部から入賞した遊技球が流入する遊技空間２５と、遊技空間内に配置された一般入賞口３１および特別入賞口３２と、を備えた遊技装置２を設け、入賞部より入賞した球が特別入賞口に入賞すると特別遊技状態を発生する遊技機であって、遊技装置は、遊技空間を後方へ窪ませて形成した凹室部材２８と、凹室部材内に配設した表示装置６１と、表示装置の姿勢を変換可能な変換機構７１と、を備え、変換機構は、表示装置を表示面６３が前方に向いた第１姿勢と、表示面が上方に向いた第２姿勢とに変換可能であり、表示装置は、第２姿勢において表示面上に遊技球を転動可能である。【選択図】図２
2007167504.tif 000002
【特許請求の範囲】
【請求項１】
遊技球を導入可能な導入部と、該導入部から導入した遊技球が流入する遊技空間を有する遊技装置を備えた遊技機において、
前記遊技装置は、
前記遊技空間を後方へ窪ませて形成した凹室部材と、該凹室部材内に配設した表示装置と、該表示装置の姿勢を変換可能な変換機構と、を備え、
該変換機構は、表示装置を表示面が前方に向いた第１姿勢と、表示面が上方に向いた第２姿勢とに変換可能であり、
前記表示装置は、第２姿勢において表示面上に遊技球を転動可能としたことを特徴とする遊技機。
【請求項２】
前記変換機構は、表示装置の第１姿勢において下側に配置される部分を略水平に前方へ移動して、表示装置を第２姿勢へ変換することを特徴とする請求項１に記載の遊技機。
【請求項３】
前記表示装置は、表示面とは反対側に位置する表示背面から配線を延設し、
前記遊技装置は、表示装置の配線を挿通する開口部を備え、
前記変換機構は、配線のうち開口部から遊技装置の外側へ引き出された部分を係合する配線係合部材を備え、表示装置を姿勢変換して配線の表示装置側の端部と開口部とが近接すると、配線係合部材が開口部から離隔するように構成されたことを特徴とする請求項１または請求項２に記載の遊技機。
【請求項４】
前記開口部は、当該開口部内の配線の移動をガイドするガイド部材を設けたことを特徴とする請求項３に記載の遊技機。
【発明の詳細な説明】
【技術分野】
【０００１】
本発明は、例えば、導入部から導入した遊技球が特別入賞口に入賞すると特別の遊技状態を発生し、可変表示ゲームを行う表示装置を備えたパチンコ機などの遊技機に関する。
【背景技術】
【０００２】
従来の遊技機、例えば、いわゆる第２種に属する遊技機では、始動入賞口へ遊技球が入賞すると変動入賞装置の可動部材を開放して補助遊技を行い、補助遊技中に変動入賞装置内に受け入れられた遊技球が遊技空間を転動する転動ゲームを行い、さらに、転動ゲームの結果、遊技球が特定領域（特別入賞口）を通過すると補助遊技よりも有利な態様で可動部材を開放して（例えば、開放時間を長くしたり、開放回数を多くしたりして）特別遊技状態を発生させて、遊技の興趣を高めている。
【０００３】
また、このようなパチンコ遊技機としては、例えば特開平７−１９４７９３号公報（特許文献１）に、始動入賞口の入賞部を開閉部材で構成するとともに、図柄を変動表示して変動表示ゲームを行う変動表示装置を設け、変動表示ゲームの停止図柄が特定図柄の場合に開閉部材を開放する遊技機が開示されている。
【特許文献１】特開平７−１９４７９３号公報
【発明の開示】
【発明が解決しようとする課題】
【０００４】
しかしながら、従来の遊技機では、遊技球による転動ゲームと変動表示装置による変動表示ゲームとが互いに離れた部位で行われており、しかも双方のゲームが同時に行われることがあるため、遊技者のゲームに対する注意が散漫になり、ゲーム態様が多様化しているにもかかわらず、却って遊技の興趣を減殺する結果となっていた。
【０００５】
そこで、本発明は上記の事情に鑑みてなされたものであり、その目的は、遊技球による転動ゲームと変動表示装置による変動表示ゲームとを同じ部位で行い、遊技者のゲームに対する注意が散漫になるのを防止して、遊技の興趣を高めることができる遊技機の提供を目的とする。
【課題を解決するための手段】
【０００６】
本発明は、上記目的を達成するために提案されたものであり、請求項１に記載のものは、遊技球を導入可能な導入部と、該導入部から導入した遊技球が流入する遊技空間を有する遊技装置を備えた遊技機において、
前記遊技装置は、
前記遊技空間を後方へ窪ませて形成した凹室部材と、該凹室部材内に配設した表示装置と、該表示装置の姿勢を変換可能な変換機構と、を備え、
該変換機構は、表示装置を表示面が前方に向いた第１姿勢と、表示面が上方に向いた第２姿勢とに変換可能であり、
前記表示装置は、第２姿勢において表示面上に遊技球を転動可能としたことを特徴とする遊技機である。
【０００７】
請求項２に記載のものは、前記変換機構は、表示装置の第１姿勢において下側に配置される部分を略水平に前方へ移動して、表示装置を第２姿勢へ変換することを特徴とする請求項１に記載の遊技機である。
【０００８】
請求項３に記載のものは、前記表示装置は、表示面とは反対側に位置する表示背面から配線を延設し、
前記遊技装置は、表示装置の配線を挿通する開口部を備え、
前記変換機構は、配線のうち開口部から遊技装置の外側へ引き出された部分を係合する配線係合部材を備え、表示装置を姿勢変換して配線の表示装置側の端部と開口部とが近接すると、配線係合部材が開口部から離隔するように構成されたことを特徴とする請求項１または請求項２に記載の遊技機である。
【０００９】
請求項４に記載のものは、前記開口部は、当該開口部内の配線の移動をガイドするガイド部材を設けたことを特徴とする請求項３に記載の遊技機である。
【発明の効果】
【００１０】
本発明によれば、以下のような優れた効果を奏する。
即ち、請求項１に記載の発明によれば、遊技装置の遊技空間において、変換機構により、表示装置の姿勢が、表示面が前方に向いた第１姿勢と、表示面が上方に向いた第２姿勢とに変換可能であり、第２姿勢において表示面上に遊技球が転動可能に構成されているので、遊技球による転動ゲームと表示装置による変動表示ゲームとを同じ部位で行い、遊技者のゲームに対する注意が散漫になるのを防止して、遊技の興趣を高めることができる。また、転動面の表示を変化させることができるので、これにより遊技者は今までにない興趣を楽しむことができる。
【００１１】
請求項２に記載の発明によれば、変換機構が、表示装置の第１姿勢において下側に配置される部分を略水平に前方へ移動して、表示装置を第２姿勢へ変換するので、表示装置がいずれの姿勢であっても、遊技者は視線を変えずに表示面を視認することができる。
【００１２】
請求項３に記載の発明によれば、表示装置を姿勢変換して配線の表示装置側の端部と開口部とが近接すると、配線係合部材が開口部から離隔するので、表示装置を第２姿勢に変換した場合にも、配線係合部材によって開口部から配線が引き出され、遊技空間内に配線が弛むことがなく、変換機構の動作の信頼性を担保することができる。
【００１３】
請求項４に記載の発明によれば、開口部に、当該開口部内の配線の移動をガイドするガイド部材を設けているので、表示装置の姿勢変更に伴う配線の移動が円滑になされ、変換機構の動作の信頼性を担保することができる。
【発明を実施するための最良の形態】
【００１４】
以下、代表的な遊技機であるパチンコ遊技機を例に挙げて本発明の実施の最良の形態を図面に基づき説明する。
図１はパチンコ遊技機の遊技盤を示す正面図、図２は表示装置が第２姿勢の状態の遊技装置を示す斜視図、図３は表示装置が第１姿勢の状態の遊技装置を示す斜視図、図４は表示装置が第１姿勢から第２姿勢へ変換する状態の遊技装置を示す斜視図である。
【００１５】
パチンコ遊技機の遊技盤１は、図１に示すように、表面にガイドレール等の区画部材３により区画された遊技領域４を形成し、該遊技領域４内において、ほぼ中央には遊技装置（センターケース）２を配設し、該遊技装置２の下方には、第１始動入賞口５および第２始動入賞口６を配設している。また、遊技装置２の左右には上下に２対の一般入賞具７が設けられ、その他に遊技領域４内には遊技球の流下方向を変える風車８や遊技釘（図示せず）、発光により各種の装飾表示を行うランプ１０、及び入賞せずに流下した遊技球を回収するアウト口１１などが設けられている。なお、第１始動入賞口５、第２始動入賞口６および一般入賞具７は、入賞した遊技球を検出するセンサをそれぞれ備えている。また、本実施形態では、２つの第１始動入賞口５を横に並べ、その間に第２始動入賞口６を配置している。
【００１６】
そして、遊技盤１は、遊技釘の一種であって、遊技装置２の側方に植設された複数のガイド釘（図示せず）を、遊技装置２の開状態における開閉部材（後述する）に向って下り傾斜する案内通路を形成するよう列設している。また、各始動入賞口５，６夫々の上方には、一対の調整釘（所謂命釘）９を遊技球が通過可能な間隔を形成した状態で植設している。
【００１７】
遊技装置２は、図２から図４に示すように、遊技盤１の表面に取り付けられる取付基板２１と、該取付基板２１の前面左上に設けられて、開状態と閉状態とに変換可能な開閉部材２２を備えた入賞部２３と、開状態の入賞部２３により受け入れられた遊技球が転動する遊技空間２５と、該遊技空間２５の下部に配設された一般入賞口３１及び右側に配設された特別入賞口（本実施形態では、いわゆるクルーン）３２とから概ね構成されている。
【００１８】
取付基板２１の前面側上部には、庇状の鎧部４１を前方に突設し、該鎧部４１の左右傾斜端部から下方に側辺部４２，４３を突設し、左右の側辺部４２，４３の下端同士を接続する状態で底部４４を後方へ延設し、これら鎧部４１、左右側辺部４２，４３、及び底部４４に囲まれた空間を上記遊技空間２５とし、この遊技空間２５を後方へ窪ませて箱体状の凹室部材２８により区画形成される構成としている。鎧部４１は、上面が左上の頂部４５から左右両側下方に異なる傾斜角度で傾斜して、鎧部４１の上面に遊技球が落下しても滞留せずに左右に振り分けて流下し得るように構成されている。なお、遊技空間２５は、当該遊技空間２５内に導入された遊技球が再び遊技領域４へ戻るように構成しても良い。
【００１９】
この頂部４５には、上記開閉部材２２を備えた導入部２３が開設されている。本実施形態における導入部２３は円形の装飾部として形成され、その左上面を開口するように、上記開閉部材２２が開閉する。開閉部材２２は、いわゆる羽根部材にて形成され、遊技球を遊技空間２５に受け入れ易い開状態（羽根部材の先端部が斜め左上方に臨むように傾倒して導入部２３を開口した状態であり、遊技者にとって有利な状態）と、遊技球を遊技空間２５に受け入れない閉状態（羽根部材の先端部が起立して導入部２３を閉鎖した状態であり、遊技者にとって不利な状態）とに変換可能な部材であり、開状態では左斜め上方に臨んだ羽根部材が導入部２３へ遊技球を導入する。なお、開閉部材２２の駆動源については後述する。
【００２０】
図３および図４に示すように、上記導入部２３の下部には、遊技装置２の左内側壁５０内に区画形成された流下路５２に連通する導入路５１が形成され、上記流下路５２の下端には後方流路５３および側方流路５４が連通され、左内側壁５０の中央部よりやや下側に流出口５５が開口されている。上記導入路５１、流下路５２、後方流路５３、側方流路５４および流出口５５は、遊技装置２の左側の遊技領域を流下する遊技球を該遊技装置２の入賞部２２から遊技空間へ導入するワープ流路を構成している。
【００２１】
上記凹室部材２８内には表示装置６１が配設されており、該凹室部材２８の後部には表示装置６１の姿勢を変換可能な変換機構７１が備えられている。この変換機構７１によって、表示装置６１は、その表示面が前方に向いた第１姿勢と、その表示面が上方に向いた第２姿勢とに変換可能に構成されている。なお、変換機構７１については後述する。
【００２２】
図２および図４では、表示装置６１の表示面が上方に向いた第２姿勢をとっており、該表示装置６１の表示面上を上記流出口５５から遊技空間２５へと流出した遊技球が転動するようになっている。この表示装置６１の側方（右側方または遊技空間側壁の反対側）には特別入賞口（Ｖ入賞口）３２を配置しており、特別入賞口３２を設けた矩形平面部６０は、例えば、ゴルフ場のグリーンを模して形成されている。したがって、表示装置６１の表示面には、例えば、ゴルフ場のフェアウェイ等のコース画像が表示される。そして、特別入賞口３２の周縁には、矩形平面部６０に流下した遊技球を回転させて入賞させるすり鉢状のすり鉢部（いわゆるクルーン）３３を備えている。また、遊技装置２の底部中央には一般入賞口３１が開設されており、表示装置６１の表示面上を転動する途中で落下した遊技球は一般入賞口（ハズレ口）３１に入賞する。さらに、矩形平面部６０は前方へ下り傾斜して形成されており、上記すり鉢部３３と共に、表示装置６１の表示面上を転動して該平面部６０に到達した場合に遊技球が特別入賞口３２へ容易に入賞しないようにしている。
【００２３】
図５は、本実施形態の遊技機に用いる表示装置の構成を示す分解図斜視である。本実施形態における表示装置６１は、例えば、任意の画像を表示可能なＬＣＤ（液晶表示器）等で表示画面部分が構成され、その表示面には遊技の進行に基づく画像や装飾画像が表示されるように構成されており、具体的には、ＬＣＤ等の表示ユニット６２と、該表示ユニット６２の表示面６３側を覆うように配される表示面保護ボックス６４と、上記表示ユニット６２の裏面側に配される配線引き出し口６５の開設された裏面カバー６６と、からなっている。表示面保護ボックス６４は、図２および図４のように表示装置６１の表示面６３上を遊技球が転動する場合に該表示面６３を覆って保護するための透光性の箱体状部材であり、例えば、透明のポリカーボネイトを用いる。裏面カバー６６の四隅には、裏面側からビス等の止着部材（図示せず）を挿通させるための止着孔６７が形成され、表示面保護ボックス６４の裏面側の四隅には、止着部材を固定するためのボス孔６８が形成されている。そして、表示面保護ボックス６４と裏面カバー６６とを組み合わせた内部に表示ユニット６２が収納され、該表示ユニット６２のフラットケーブル等の配線が配線引き出し口６５から引き出される。
【００２４】
次に、図６から図８を用いて、本実施形態の遊技機における変換機構を説明する。図６は本実施形態の遊技機の遊技装置を右斜め後方から見た状態を示す斜視図、図７は表示装置の表示面が上方に向いた状態の変換機構を示す右側面図、図８は表示装置の表示面が前方に向いた状態の変換機構を示す右側面図である。
【００２５】
上述したように、遊技装置２の後部には、遊技空間２５を後部に窪ませて箱体状の凹室部材２８が区画形成されており、この凹室部材２８には、該凹室部材２８内に設けられた表示装置６１を表示面６３が上方に向いた第２姿勢と、表示面６３が前方に向いた第１姿勢とに変換可能な変換機構７１が取り付けられている。この変換機構７１は、図６〜図８のように、表示装置６１の表示面６３が前方に向いた状態において、先端部７２が表示装置６１の両側面の上部側に回動可能に取り付けられた一対の第１アーム部材７３と、先端部７７が表示装置６１の両側面の下部側に回動可能に取り付けられた一対の第２アーム部材７８と、第１アーム部材７３の基端部７４が軸支された一対のレバー部材８０と、凹室部材２８の後壁部２８ａに固定された支持部材８５に搭載された駆動源としてのモーター８６と、該モーター８６の駆動力を上記レバー部材８０に伝えるコネクティング軸９０と、から概ね構成される。
【００２６】
第１アーム部材７３の先端部７２は、図６に示すように、凹室部材２８の側壁部２８ｂ，２８ｂに上下に開設された一対の第１円弧状孔１００内に挿通され、上記レバー部材８０に軸支された基端部７４を支点として回動するようになっている。そして、一方の第１アーム部材７３の基端部７４は、概ね「へ」の字状のレバー部材８０の屈曲部に軸支され、一方の端部には上記コネクティング軸９０の先端部９１が回動可能に軸支されている。コネクティング軸９０は、その基端部９２が、上記モーター８６の駆動軸８７に固定された円板８８に偏芯させて回動可能に軸支されることにより、回転運動を直線運動に変換する。第１アーム部材７３の基端部７４は、該第１アーム部材７３と上記レバー部材８０との回動支点となるので、凹室部材２８の後壁部２８ａに固定された一対の支持プレート１０５，１０５に挿通された挿通軸１０６を介して左右が連動するように接続されている。
【００２７】
また、第２アーム部材７８の先端部７７は、凹室部材２８の側壁部２８ｂ，２８ｂに上記第１円弧状孔１００の途中において交差するように開設された一対の第２円弧状孔１１０内を通過可能であって、その基端部７９を支点として回動するようになっている。第２アーム部材７８の基端部７９は、該第２アーム部材７８の回動支点となるので、凹室部材２８の下部に固定された一対の支持プレート１１５，１１５に挿通された挿通軸１１６を介して左右が連動するように接続されている。
【００２８】
第２アーム部材７８の回動支点（固定節）となる基端部７９と挿通軸１１６は凹室部材２８の後部下部に配置され、その斜め上後方に第１アーム部材７３の回動支点（固定節）となる基端部７４と挿通軸１０６が配置され、第１アーム部材７３および第２アーム部材７８の長さが固定節距離Ｄよりも少し短く設定され、移動節となる第１アーム部材７３の先端部７２と第２アーム部材７８の先端部７７が各アーム部材の長さＬの約半分の距離ｌで表示装置６１の両側部に回動可能に軸支されている。そして、上記コネクティング軸９０の長さと第１アーム部材７３の長さとの比は、約１：２に設定されている。
また、表示装置６１の表示面が前方に向いた状態で第２アーム部材７８の基端部７９より先端部７７が前方に位置するように構成したので、表示面底部が後方には動かない。そして、第１アーム部材７３の長さと第１アーム部材７３の基端部７４から配線係合部材１２３の中心部までの長さを２：１に設定することにより、凹室部材２８内で長さ１弛んだ配線を配線係合部材１２３側では長さ２巻き取ることができるように構成してあるので、表示装置６１の姿勢が変化しても過不足なく巻き取ることができる。
【００２９】
このように構成された変換機構７１は、図８のように表示装置６１の表示面６３が前方を向いた状態の第１姿勢にある場合に、モーター８６の回動軸８７により円板８８を回動させてコネクティング軸９０をモーター側に引き付けると、レバー部材８０に軸支された第１アーム部材７３の基端部７４が下向きとなり、これに伴って図７のように第１円弧状孔１００に沿って第１アーム部材７３の先端部７２が下方へと回動する。
【００３０】
この動きと同期して、第２アーム部材７８の先端部７７は、その基端部７９を支点として、図７のように第２円弧状孔１１０に沿って下方へと回動する。
第１姿勢において表示面６３が前方を向いた表示装置６１の両側面の下部を支持していた第２アーム部材７８の先端部７７は、表示装置６１を第２姿勢に変換すると、表示装置６１の両側面の上部を支持していた第１アーム部材７３の先端部７２よりも前方に位置することになる。すなわち、変換機構７１は、図８のように表示装置６１の表示面６３が前方を向いた状態の第１姿勢において下側に配置される部分を略水平に前方へ移動して、表示装置６１の表示面６３が上方を向いた状態の第２姿勢へ変換する。
【００３１】
また、凹室部材２８の後壁部２８ａの下端部には、図８に示すように、表示装置６１の裏面カバー６６上部の配線引き出し口６５から延出された配線（例えば、フラットケーブル）１２１を挿通する開口部１２２が開設されている。変換機構７１の一対のレバー部材８０の後端部間には、配線１２１のうち上記開口部１２２から遊技装置２の外側へ引き出された部分を係合する円筒体状の配線係合部材１２３が固定されている。さらに、上記開口部１２２の上部および下部には、当該開口部１２２内における配線１２１の移動をガイドするガイド部材として上側ローラ１２５および下側ローラ１２６が回転可能に配設されている。表示装置６１の上部から延出された配線１２１は、上側ローラ１２５の下方を通って配線係合部材１２３の上方から下方へと回り込み、下側ローラ１２６の上方を通って一旦遊技装置２内に戻り、下側ローラ１２６の下方を通って遊技装置２の外側に引き出されて、中継基板等を介して制御装置側に電気的に接続される。
【００３２】
図８の表示装置６１の表示面６３が前方を向いた状態の第１姿勢から図７の表示装置６１の表示面６３が上方を向いた状態の第２姿勢に変換して、配線１２１の表示装置側の端部と上記開口部１２２とが近接すると、図７に示すように、配線係合部材１２３が開口部１２２から離隔するようになっている。この配線係合部材１２３は、表示装置６１を縦向きに維持しようとするための錘の機能も兼ね備えている。
このように表示装置６１の表示面６３を上方へ向けるのは、表示装置６１の裏面から配線１２１等が見えるのを防止するためであり、また遊技球の転動面を画像表示により装飾したいからである。
【００３３】
また、凹室部材２８の上壁部２８ｃ上には支持部材１３１が固定され、この支持部材１３１には上記開閉部材２２の下端部に接続された回転軸の駆動源が固定されおり、この駆動源により回動軸を回動することによって、開閉部材２２を閉状態から開状態に変換するように構成されている。例えば、開閉部材２２の回動軸の後端に、駆動源としての開閉ソレノイド１３２のプランジャをクランク部材等を介して接続し、このプランジャをスプリングにより伸長方向に付勢して、開閉ソレノイド１３２が消磁した常態においては起立した閉状態を維持し、開閉ソレノイド１３２が励磁すると開閉部材２２の上端を外側に倒す方向に向かって回動して傾倒した開状態に変換するように構成されている。
【００３４】
次に、上記した構成を有するパチンコ遊技機の動作について説明する。なお、電源投入時において遊技制御装置は、開閉ソレノイド１３２を消磁した常態で開閉部材２２を起立し、導入部２３が閉状態となるように制御している。
【００３５】
発射装置（図示せず）により発射された遊技球は、区画部材３に沿って案内されて遊技領域４の上部に達した後、上記鎧部４１の頂部４５により左右に振り分けられて遊技釘や風車８により方向を変えながら遊技領域４内を流下する。この遊技球が一般入賞具７、第１始動入賞口５及び第２始動入賞口６に入賞した場合には所定数の賞球が排出され、いずれにも入賞しなかった場合には、この遊技球はアウト口１１から回収される。
【００３６】
そして、遊技球がいずれかの第１始動入賞口５に入賞すると、第１始動入賞口センサが遊技球の入賞を検出し、検出信号を遊技制御装置に送信する。この第１始動入賞口センサからの検出信号に基づき、遊技制御装置は、開閉ソレノイド１３２を励磁（ＯＮ状態）して、開閉部材（羽根部材）２２を左上方へ臨ませて１回のみ開かせる補助遊技を行う。また、遊技球が第２始動入賞口５に入賞すると、第２始動入賞口センサが遊技球の入賞を検出し、検出信号を遊技制御装置に送信する。この第２始動入賞口センサからの検出信号に基づき、遊技制御装置は、開閉ソレノイド１３２を励磁（ＯＮ状態）して、開閉部材（羽根部材）２２を左上方へ臨ませて２回開かせる補助遊技を行う。
【００３７】
開閉部材２２を開状態とすることにより遊技装置２の左上の導入部２３に遊技球が受け入れ可能となり、該入賞部２２から受け入れられた遊技球は、導入路５１、流下路５２、後方流路５３および側方流路５４を通り、流出口５５から遊技空間２５へと流出される。この遊技空間２５には表示装置６１が配設されており、通常状態では、上記遊技制御装置により、図２に示すような表示装置６１の表示面６３が上方へ向いた状態である第２姿勢に位置する。この第２姿勢の表示装置６１は、上記遊技制御装置により、上下へ僅かに揺動するように制御され、具体的には、略水平な状態から前方へ下り傾斜する状態の間で揺動する。この揺動により、遊技者は、表示装置６１の表示面６３上を転動する遊技球が前方へ落下するか、あるいは表示装置６１の表示面６３上から落下せずに特別入賞口３２の存する右側方のゴルフ場のグリーンを模した矩形平面部６０上まで到達するかを見て楽しむことができる。このように表示装置６１の表示面６３上を遊技球が転動しても、該表示面６３は透明の表示面保護ボックス６８によって覆われているので、表示面６３に加わる衝撃から保護することができる。なお、表示装置６１の上方へ向いた表示面６３にはゴルフ場のフェアウェイ等の各ホールの画像を表示する。例えば、ゴルフ場のホールの画像を複数用意しておき、乱数毎に画像を変えることが考えられる。
【００３８】
表示装置６１の表示面６１を転動する途中で落下した遊技球は、遊技装置２の底部４４に開設された一般入賞口（ハズレ口）３１に集められて下方へ流下する。他方、矩形平面部６０上まで遊技球が到達しても、該平面部６０は前方へ下り傾斜しているので、容易には特別入賞口３２には入賞せずに、この平面部６０から落下した遊技球は遊技装置２の底部４４に開設された一般入賞口３１に集められて下方へ流下する。なお、一般入賞口３１および特別入賞口３２に流下した遊技球は、遊技盤の裏側に設けられた球寄せ流路を流下して回収される。
【００３９】
この補助遊技において特別入賞口３２に入賞すると大当たりとなり、上記遊技制御装置がモーター８６を駆動して変換機構７１を制御し、図３のように表示装置６１の表示面６３が前方に向いた状態である第１姿勢へ変換する。表示装置６１が第１姿勢に変換されると、表示装置６１の表示面６３に特別遊技におけるラウンド回数選択ゲームを表示する。ラウンド回数の選択肢は、例えば、２ラウンド、７ラウンド、１５ラウンドとする。なお、１ラウンドの長さは、遊技球の入賞回数が所定数（例えば、１０個（１０カウント））に達するまで、あるいは所定時間（例えば３０秒間）が経過するまでとし、この間、開閉部材２２を開放する。また、１ラウンド中に特別入賞口（Ｖ入賞口）へ入賞したか否かに拘らず、次のラウンドに移行して所定ラウンド数まで自動継続する。
【００４０】
そして、表示装置６１の前方を向いた表示面６３においてラウンド回数が決定すると、特別遊技を開始する。このとき、遊技制御装置により変換機構７１を作動制御することにより、表示装置６１は再び表示面６３が上方を向いた状態の第２姿勢に変換され、上下に揺動することになる。
【００４１】
なお、上述したように、特別入賞口（Ｖ入賞口）３２に入賞しなくともラウンドは無条件で自動継続するので、特別遊技においては、表示装置６１は第１姿勢と第２姿勢のいずれの状態であってもよいが、多少の遊び要素を考慮すると、表示装置６１の表示面６３を再度上方に向けた状態の第２姿勢に戻し、遊技球が転動可能な状態にする。
【００４２】
特別遊技において、遊技制御装置は、例えば、開閉部材２２を開いてから所定時間（例えば、３０秒）経過するか、あるいは所定個数（例えば、１０個）の遊技球を遊技装置２内に導入するかのいずれか早い方の条件が成立すると、遊技制御装置は、開閉部材２２を閉じて第１ラウンドを終了する。その後、遊技制御装置は、開閉ソレノイド１３２を消磁（ＯＦＦ状態）して開閉部材（羽根部材）２２を起立した閉状態に戻し、再び開閉ソレノイド１３２を励磁（ＯＮ状態）して開閉部材２２を傾倒した開状態して第２ラウンドを開始する。
【００４３】
このように開閉部材２２の開閉の一連動作を繰り返してラウンドを所定回数（例えば、１５回）繰り返し、最終ラウンドにおいて開閉部材２２を閉じると、遊技制御装置は、開閉部材２２を開くことなく特別遊技を終了して通常遊技に戻る。このことから、遊技者は、開閉部材２２の挙動を見て特別遊技が継続するか、あるいは終了するかを簡単に把握することができる。
【００４４】
以上のように構成された本実施形態のパチンコ機によれば、遊技装置２の遊技空間２５において、変換機構７１により、表示装置６１の表示面６３が前方に向いた第１姿勢と、上方に向いた第２姿勢とに変換可能であり、この第２姿勢の上方を向いた表示面６３上に遊技球が転動するので、遊技球の転動ゲームと表示装置６１の画像表示による変動表示ゲームとを遊技空間２５内の同じ部位で行うことができる。したがって、遊技球による転動ゲームと表示装置６１による変動表示ゲームとが同期して行われても、遊技者のゲームに対する注意が散漫になるのを防止され、遊技の興趣を高めることができる。
【００４５】
この姿勢変換可能な表示装置６１は、変換機構７１により、表示装置６１の第１姿勢において下側に配置される部分を略水平に前方へ移動して、表示装置６１を第２姿勢へ変換する。したがって、表示装置６１が第１姿勢または第２姿勢のいずれの姿勢であっても、遊技者は遊技空間２５内を見るだけで、視線を変えずに表示装置６１の表示面を視認することができる。
【００４６】
また、表示装置６１を第２姿勢へ変換して配線１２１の表示装置側の端部と開口部１２２とが近接すると、上記変換機構７１のレバー部材８０に固定された円筒体状の配線係合部材１２３が開口部１２２から離隔する。したがって、表示装置６１を第２姿勢に変換した場合にも、配線係合部材１２３が開口部１２２から離間することによって該開口部１２２から配線１２１が引き出され、遊技空間２５内に配線１２１が弛むことがなく、変換機構７１の動作の信頼性を担保することができる。上記開口部１２２には上側ローラ１２５および下側ローラ１２６が配設されているので、表示装置６１の姿勢変更に伴う配線１２１の移動が円滑に行われ、変換機構７１の動作の信頼性をより確実に担保することができるものである。
【００４７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００４８】
また、本発明に係る遊技機は、パチンコ遊技機に限らず、雀球式遊技機、アレンジボール式遊技機などにも適用可能である。
【図面の簡単な説明】
【００４９】
【図１】パチンコ遊技機の遊技盤を示す正面図である。
【図２】表示装置が第２姿勢の状態の遊技装置を示す斜視図である。
【図３】表示装置が第１姿勢の状態の遊技装置を示す斜視図である。
【図４】表示装置が第１姿勢から第２姿勢へ変換する状態の遊技装置を示す斜視図である。
【図５】本実施形態の遊技機に用いる表示装置の構成を示す分解図斜視である。
【図６】本実施形態の遊技機の遊技装置を右斜め後方から見た状態を示す斜視図である。
【図７】表示装置の表示面が上方に向いた状態の変換機構を示す右側面図である。
【図８】表示装置の表示面が前方に向いた状態の変換機構を示す右側面図である。
【符号の説明】
【００５０】
１  遊技盤
２  遊技装置
５  第１始動入賞口
６  第２始動入賞口
２１  取付基板
２２  開閉部材
２３  導入部
２５  遊技空間
２８  凹室部材
２８ａ  凹室部材の後壁部
２８ｂ  凹室部材の側壁部
２８ｃ  凹室部材の上壁部
３１  一般入賞口
３２  特別入賞口
３３  すり鉢部
４１  鎧部
４２，４３  側辺部
４４  底部
４５  頂部
５０  左内側壁
５１  導入路
５２  流下路
５３  後方流路
５４  側方流路
５５  流出口
６０  矩形平面部
６１  表示装置
６２  表示ユニット
６３  表示面
６４  表示面保護ボックス
６５  配線引き出し口
６６  裏面カバー
７１  変換機構
７２  第１アーム部材の先端部
７３  第１アーム部材
７４  第１アーム部材の基端部
７７  第２アーム部材の先端部
７８  第２アーム部材
７９  第２アーム部材の基端部
８０  レバー部材
８５  支持部材
８６  モーター
９０  クランク軸
９１  クランク軸の先端部
９２  クランク軸の基端部
１００  第１円弧状孔
１０５  支持プレート
１０６  挿通軸
１１０  第２円弧状孔
１１５  支持プレート
１１６  挿通軸
１２１  配線
１２２  開口部
１２３  配線係合部材
１２５  上側ローラ
１２６  下側ローラ
１３１  支持部材
１３２  開閉ソレノイド
【図１】
2007167504.tif 000003
【図２】
2007167504.tif 000004
【図３】
2007167504.tif 000005
【図４】
2007167504.tif 000006
【図５】
2007167504.tif 000007
【図６】
2007167504.tif 000008
【図７】
2007167504.tif 000009
【図８】
2007167504.tif 000010